(57)【要約】【課題】使用後に、新たな樹脂形成品の材料として容易に用いることができるハンガーを提供する。【解決手段】再利用可能な材料から形成されるとともに、被支持体が掛けられるハンガーであって、被支持体が掛けられるハンガー杵体およびハンガー杵体から延びるとともに、被支持体が掛けられたハンガー杵体、または、ハンガー杵体そのものを掛ける際に用いられるフック部を有するハンガー本体と、被支持体に係る情報を表示する情報部５１が配置される表示部５と、ハンガー本体および表示部５の間を繋いで表示部５を支持するとともに、破断されることによりハンガー本体から表示部５を離脱させる接続部５３と、が設けられていることを特徴とする。【選択図】図６
0003154549.tif 000002
【実用新案登録請求の範囲】
【請求項１】
再利用可能な材料から形成されるとともに、被支持体が掛けられるハンガーであって、
前記被支持体が掛けられるハンガー杵体、および、該ハンガー杵体から延びるとともに、前記被支持体が掛けられた前記ハンガー杵体、または、前記ハンガー杵体そのものを掛ける際に用いられるフック部を有するハンガー本体と、
前記被支持体に係る情報を表示する情報部が配置される表示部と、
前記ハンガー本体および前記表示部の間を繋いで前記表示部を支持するとともに、破断されることにより前記ハンガー本体から前記表示部を離脱させる接続部と、
が設けられていることを特徴とするハンガー。
【請求項２】
前記接続部は、前記ハンガー杵体および前記表示部の間を繋いで前記表示部を支持するとともに、破断されることにより前記ハンガー杵体から前記表示部を離脱させることを特徴とする請求項１記載のハンガー。
【請求項３】
前記ハンガー杵体は板状に形成され、
前記表示部の少なくとも一部は前記ハンガー杵体の内部に配置され、
前記ハンガー杵体および前記表示部の間には、前記表示部の周囲を囲うスリット部が設けられ、
前記接続部は、前記スリット部を横切り、前記ハンガー杵体および前記表示部を繋ぐ梁状に形成されたものであることを特徴とする請求項２記載のハンガー。
【請求項４】
前記表示部は、楕円状に形成された板状のものであり、
前記スリット部における前記表示部の長軸と隣接する領域には、前記ハンガー杵体および前記表示部を離間する空間部が設けられていることを特徴とする請求項３記載のハンガー。
【請求項５】
前記スリット部は、前記ハンガー杵体における一の端面に繋がる一対の開口端を有し、
前記表示部における前記一の開口端に挟まれた領域の端面には、前記情報部による情報の表示がされる表示端面が設けられていることを特徴とする請求項３記載のハンガー。
【請求項６】
前記表示部は、複数の前記接続部により前記ハンガー杵体と接続され、
隣接する前記接続部は、前記表示部から前記ハンガー杵体に向かって、互いに接近又は離間するように配置されていることを特徴とする請求項３から５のいずれかに記載のハンガー。
【請求項７】
前記接続部は、前記フック部および前記表示部の間を繋いで前記表示部を支持するとともに、破断されることにより前記フック部から前記表示部を離脱させることを特徴とする請求項１記載のハンガー。
【請求項８】
前記表示部は前記フック部から突出して延びる板状に形成され、
前記フック部および前記表示部の間にはスリット部が設けられ、
前記接続部は、前記スリット部を横切り、前記フック部および前記表示部を繋ぐ梁状に形成されたものであることを特徴とする請求項７記載のハンガー。
【考案の詳細な説明】
【技術分野】
【０００１】
本考案は、ハンガー、特に再利用可能な材料を用いて形成され、使用後に新たな形成品の材料としてリサイクルされるものに用いて好適なハンガーに関する。
【背景技術】
【０００２】
一般に、衣料品が掛けられるハンガーである衣料用ハンガーには種々のものがあり、例えば、衣料品を生産するアパレルメーカーから衣料品を量販店に納入する際に、衣料品にシワが付かないように用いられる流通用のハンガーや、量販店の売り場において衣料品を陳列する際に用いられるディスプレイ用のハンガー等がある（例えば、特許文献１参照。）。
【０００３】
これらの流通用のハンガーとディスプレイ用のハンガーとは異なる場合が多く、衣料品を量販店に納入した後、流通用のハンガーは不要となり廃棄されることが多い。さらに、ディスプレイ用のハンガーであっても、不要になると、流通用のハンガーと同様に廃棄されることがあった。
【０００４】
そこで、このように廃棄されるハンガーを有効に再利用することを目的として、プラスチックなどの再利用可能な樹脂を用いて形成されたハンガーを用いる取り組みも行われている。つまり、再利用可能な樹脂を用いて形成されたハンガーであって、従来であれば廃棄されていたハンガーを回収して、当該樹脂からなる新たな形成品の材料として用いるものである。
【０００５】
上述の特許文献１に記載されたハンガーも、再利用可能な樹脂を用いて形成されたハンガーであり、使用された後に、新たな樹脂形成品の材料として回収される場合がある。
【先行技術文献】
【特許文献】
【０００６】
【特許文献１】意匠登録第１１２９６７７号公報
【考案の概要】
【考案が解決しようとする課題】
【０００７】
その一方で、流通用のハンガーや、ディスプレイ用のハンガー等には、掛けられた衣料品のサイズを示す「Ｓ」，「Ｍ」，「Ｌ」などの記号や、その他の情報を表示する記号等が付されている。具体的には、上述の記号等が記載されたシールをハンガーに貼り付ける方法が知られている。
【０００８】
ここで、使用後のハンガーを新たな樹脂形成品の材料として用いる場合には、不純物となるシールを取り除く必要がある。
すると、上述のようにシールをハンガーに直接貼り付ける方法の場合には、ハンガーからシールを剥がす必要があり、手間がかかるという問題があった。特に、大量に使用される流通用のハンガー等の場合には、一つずつハンガーからシールを剥がす方法では、時間がかかるとともにコストもかかり、使用後のハンガーを新たな樹脂形成品の材料として用いにくいという問題があった。
【０００９】
本考案は、上記の課題を解決するためになされたものであって、使用後に、新たな樹脂形成品の材料として容易に用いることができるハンガーを提供することを目的とする。
【課題を解決するための手段】
【００１０】
上記目的を達成するために、本考案は、以下の手段を提供する。
本考案のハンガーは、再利用可能な材料から形成されるとともに、被支持体が掛けられるハンガーであって、前記被支持体が掛けられるハンガー杵体および該ハンガー杵体から延びるとともに、前記被支持体が掛けられた前記ハンガー杵体、または、前記ハンガー杵体そのものを掛ける際に用いられるフック部を有するハンガー本体と、前記被支持体に係る情報を表示する情報部が配置される表示部と、前記ハンガー本体および前記表示部の間を繋いで前記表示部を支持するとともに、破断されることにより前記ハンガー本体から前記表示部を離脱させる接続部と、が設けられていることを特徴とする。
【００１１】
本考案によれば、接続部を破断させることにより、ハンガー本体から情報部が配置された表示部を、情報部とともに取り除くことができる。そのため、例えば、情報部が再利用可能な材料以外の材料から形成されている場合であっても、容易に情報部をハンガー本体から取り除き、ハンガー本体を新たな樹脂形成品の材料として用いることができる。
【００１２】
上記考案においては、前記接続部は、前記ハンガー杵体および前記表示部の間を繋いで前記表示部を支持するとともに、破断されることにより前記ハンガー杵体から前記表示部を離脱させることが望ましい。
【００１３】
本考案によれば、接続部を破断させることにより、ハンガー杵体から情報部が配置された表示部を、情報部とともに取り除くことができる。そのため、例えば、情報部が再利用可能な材料以外の材料から形成されている場合であっても、容易に情報部をハンガー杵体から取り除き、新たな樹脂形成品の材料として用いることができる。
【００１４】
上記考案においては、前記ハンガー杵体は板状に形成され、前記表示部の少なくとも一部は前記ハンガー杵体の内部に配置され、前記ハンガー杵体および前記表示部の間には、前記表示部の周囲を囲うスリット部が設けられ、前記接続部は、前記スリット部を横切り、前記ハンガー杵体および前記表示部を繋ぐ梁状に形成されたものであることが望ましい。
【００１５】
本考案によれば、板状に形成されたハンガー杵体の内部に表示部を配置して、表示部の周囲にハンガー杵体を配置することで、表示部に外力が働きにくくなる。そのため、ハンガーの使用時など、表示部を取り除く意図がない場合に、ハンガー杵体から表示部が取り除かれることを防止することができる。
【００１６】
上記考案においては、前記表示部は、楕円状に形成された板状のものであり、前記スリット部における前記表示部の長軸と隣接する領域には、前記ハンガー杵体および前記表示部を離間する空間部が設けられていることが望ましい。
【００１７】
本考案によれば、スリット部における表示部の長軸と隣接する領域に、接続部が配置されない空間部を設けることにより、ハンガー杵体から表示部を容易に取り除くことができる。つまり、表示部における空間部と隣接する部分を、表示部における板厚方向に押圧することにより、空間部と隣接する接続部に力が集中する。そのため、空間部に近い接続部から順に破断されることとなり、ハンガー杵体から表示部を容易に取り除くことができる。
【００１８】
上記考案においては、前記スリット部は、前記ハンガー杵体における一の端面に繋がる一対の開口端を有し、前記表示部における前記一の開口端に挟まれた領域の端面には、前記情報部による情報の表示がされる表示端面が設けられていることが望ましい。
【００１９】
本考案によれば、表示部における一方および他方の面、に加えて表示端面にも情報部を配置できる。そのため、ハンガーをハンガーラックに掛けた状態であっても、表示端面に配置された情報部が視認できる。
さらに、接続部を破断させることにより、ハンガー杵体から表示部と情報部とともに取り除くことができる。
【００２０】
その一方で、一枚の情報部を表示部における一方および他方の面、および、表示端面に巻き付けるように配置することで、一度に、これらの面に情報部を配置させることができる。例えば、閉じた環状に形成されたスリット部により囲まれた表示部の場合には、二つの情報部を一方および他方の面に配置することになり、一度に情報部を一方および他方の面に配置することができない。
【００２１】
上記考案においては、前記表示部は、複数の前記接続部により前記ハンガー杵体と接続され、隣接する前記接続部は、前記表示部から前記ハンガー杵体に向かって、互いに接近又は離間するように配置されていることが望ましい。
【００２２】
本考案によれば、隣接する接続部を、表示部からハンガー杵体に向かって互いに接近または離間するように配置しているため、例えば、接続部を表示部の中心から放射状に配置する場合と比較して、表示部の周方向に働く力に対する強度が高くなる。そのため、ハンガーの使用時など、表示部を取り除く意図がない場合に、ハンガー杵体から表示部が取り除かれることを防止することができる。
【００２３】
上記考案においては、前記接続部は、前記フック部および前記表示部の間を繋いで前記表示部を支持するとともに、破断されることにより前記フック部から前記表示部を離脱させることが望ましい。
【００２４】
本考案によれば、接続部を破断させることにより、フック部から情報部が配置された表示部を、情報部とともに取り除くことができる。そのため、例えば、情報部が再利用可能な材料以外の材料から形成されている場合であっても、容易に情報部をフック部から取り除き、フック部およびハンガー杵体を有するハンガー本体を新たな樹脂形成品の材料として用いることができる。
【００２５】
上記考案においては、前記表示部は前記フック部から突出して延びる板状に形成され、前記フック部および前記表示部の間にはスリット部が設けられ、前記接続部は、前記スリット部を横切り、前記フック部および前記表示部を繋ぐ梁状に形成されたものであることが望ましい。
【００２６】
本考案によれば、接続部はスリット部を横切り、フック部および表示部を繋ぐ梁状に形成されたもののため、容易に破断させることができる。
【考案の効果】
【００２７】
本考案のハンガーによれば、ハンガーの使用後に、接続部を破断させることにより、ハンガー本体から情報部が配置された表示部を情報部とともに取り除くことができるため、ハンガーを新たな樹脂形成品の材料として容易に用いることができるという効果を奏する。
【図面の簡単な説明】
【００２８】
【図１】本考案の第１の実施形態に係る衣料用ハンガーの構成を説明する斜視図である。
【図２】図１の衣料用ハンガーの構成を説明する正面図である。
【図３】図１の衣料用ハンガーの構成を説明する側面視図である。
【図４】図１の衣料用ハンガーの構成を説明する図２におけるＡ−Ａ断面視図である。
【図５】図１の衣料用ハンガーに衣料品が掛けられた状態を説明する模式図である。
【図６】図１の表示部の構成を説明する部分拡大図である。
【図７】図１の表示部の構成を説明する側面視図である。
【図８】図１の表示部の構成を説明する図６におけるＢ−Ｂ断面視図である。
【図９】図６の表示部が支持部から取り除かれた状態を説明する模式図である。
【図１０】本考案の第２の実施形態に係る衣料用ハンガーの構成を説明する斜視図である。
【図１１】図１０衣料用ハンガーの構成を説明する正面図である。
【図１２】図１０の衣料用ハンガーの構成を説明する側面視図である。
【図１３】図１０の衣料用ハンガーの構成を説明する図１１におけるＣ−Ｃ断面視図である。
【図１４】図１０の衣料用ハンガーに衣料品が掛けられた状態を説明する模式図である。
【図１５】図１０の表示部の構成を説明する部分拡大図である。
【図１６】図１５の表示部が支持部から取り除かれた状態を説明する模式図である。
【図１７】本考案の第３の実施形態に係る衣料用ハンガーの構成を説明する斜視図である。
【図１８】図１７の衣料用ハンガーの構成を説明する正面図である。
【図１９】図１７の衣料用ハンガーの構成を説明する背面視図である。
【図２０】図１７の表示部の構成を説明する部分拡大図である。
【図２１】図２０の表示部が吊下げ用フックから取り除かれた状態を説明する模式図である。
【図２２】本考案の第３の実施形態の変形例に係る衣料用ハンガーの構成を説明する斜視図である。
【図２３】図２２の衣料用ハンガーの構成を説明する正面図である。
【図２４】図２２の衣料用ハンガーの構成を説明する背面視図である。
【考案を実施するための形態】
【００２９】
〔第１の実施形態〕
この考案の第１の実施形態に係る衣料用ハンガーについて、図１から図９を参照して説明する。
図１は、本実施形態に係る衣料用ハンガーの構成を説明する斜視図である。図２は、図１の衣料用ハンガーの構成を説明する正面図である。図３は、図１の衣料用ハンガーの構成を説明する側面視図である。図４は、図１の衣料用ハンガーの構成を説明する図２におけるＡ−Ａ断面視図である。図５は、図１の衣料用ハンガーに衣料品が掛けられた状態を説明する模式図である。
【００３０】
本実施形態の衣料用ハンガー（ハンガー）１は、図５に示すように、衣料品（被支持体）７が掛けられるものであって、全体が再利用可能な材料である樹脂を用いて一体に形成されたものである。一体に形成する方法としては、射出成型などの公知の方法を用いることができ、特に限定するものではない。
図５には、衣料品７の一例としてパンツが掛けられた状態が示されているが、掛けられる衣料品としてはパンツに限られることなく、ブラジャー等の種々の衣料品であってもよく、特に限定するものではない。
【００３１】
衣料用ハンガー１には、図２および図３に示すように、支持部（ハンガー本体、ハンガー杵体）２と、把持部（ハンガー本体、ハンガー杵体）３と、表示部５と、吊下げ用フック（ハンガー本体、フック部）６と、が主に設けられている。
【００３２】
支持部２は、図２に示すように、衣料品７を保持する把持部３と、吊下げ用フック６との間を繋ぐ部材であって、掛けられた衣料品７が一定の形状で保持されるようにするものである。
支持部２は、図２に示すように左右方向（図２の左右方向）に延びる梁状の部材であって、断面がＩ字状に形成されている。具体的には、支持部２には、上下方向（図４の上下方向）に板状に延びる板部２１と、板部２１の上端および下端から前後方向（図４の左右方向）に延びるフランジ部２２と、が設けられている。
【００３３】
支持部２には、図２に示すように、その中央における上側のフランジ部２２に吊下げ用フック６が設けられ、板部２１に表示部５が設けられている。さらに、支持部２における左右の端部には、それぞれ、把持部３が設けられている。
【００３４】
図６は、図１の表示部の構成を説明する部分拡大図である。図７は、図１の表示部の構成を説明する側面視図である。図８は、図１の表示部の構成を説明する図６におけるＢ−Ｂ断面視図である。
表示部５は、図６および図７に示すように、衣料用ハンガー１に掛けられる衣料品７のサイズを表示するシール（情報部）５１が貼り付けられる部分である。表示部５は、図６および図８に示すように、周囲に形成されたスリット部５２により支持部２の板部２１およびフランジ部２２から分離されたものである。
【００３５】
表示部５には、図７および図８に示すように、シール５１が貼り付けられる表面（一方の面）５Ａ、裏面（他方の面）５Ｂ、および表示端面５Ｃが設けられている。
表面５Ａおよび裏面５Ｂは、板状に形成された表示部５における衣料用ハンガー１の正面側の面、および、裏側の面である。表示端面５Ｃは、表示部５における吊下げ用フック６が設けられた側の端面である。
【００３６】
表示部５における表示端面５Ｃの近傍では、図８に示すように、中央部から表示端面５Ｃに向って厚くなるように形成されている。そのため、表示端面５Ｃにおける情報を表示する面積が確保されている。
【００３７】
さらに、衣料用ハンガー１の正面側から見て表示部５の周囲には、図６および図８に示すように、肉厚部２２Ａが形成されている。肉厚部２２Ａにおける正面側の面は、フランジ部２２から延びて形成されているとともに、肉厚部２２Ａにおける背面側の面は、板部２１から延びて形成されている。
【００３８】
本実施形態では、表示部５の板厚が、支持部２の板部２１における板厚と同じ例に適用して説明するが、これに限定されるものではない。
表示部５と支持部２との間には、支持部２の板部２１に対して表示部５を支持する複数の接続部５３が設けられている。
【００３９】
シール５１は、図６および図７に示すように、衣料用ハンガー１に掛けられる衣料品７のサイズを示す「Ｓ」、「Ｍ」、「Ｌ」などの記号が記載されたシールであって、紙や粘着材などの衣料用ハンガー１を形成する樹脂とは異なる材料から形成されたものである。
一枚のシール５１は、表示部５の表面５Ａから表示端面５Ｃを介して裏面５Ｂに、巻き付けるように貼り付けられる。さらに、シール５１における、表面５Ａ、裏面５Ｂ、および、表示端面５Ｃに対応する領域には、上述の「Ｓ」等の記号が記載されている。
【００４０】
なお、シール５１には、上述のように衣料品７のサイズを示す記号が記載されていてもよいし、衣料品７のその他の特性を示す記号などが記載されていてもよく、特に限定するものではない。
【００４１】
スリット部５２は、図６に示すように、表示部５と板部２１およびフランジ部２２との間に、表示部５の外縁に沿って形成された空間であって、接続部５３とともに表示部５を支持部２の板部２１およびフランジ部２２から取り外す構造を構成するものである。
スリット部５２は、支持部２における吊下げ用フック６が設けられた側の端面（一の端面）に一対の開口端５２Ａ，５２Ａが繋がるように形成されている。
【００４２】
接続部５３は、図６に示すように、スリット部５２を横切り、表示部５から板部２１およびフランジ部２２に向かって延びる梁状の部材であって、スリット部５２とともに表示部５を支持部２の板部２１から取り外す構造を構成するものである。
【００４３】
複数の接続部５３は、スリット部５２が延びる方向に沿って、所定の間隔をあけて配置されている。さらに、スリット部５２の開口端５２Ａ，５２Ａに配置された接続部５３は、他の接続部５３と比較して太く形成されている。
一方、接続部５３における板部２１の板厚方向（図６の紙面に対して垂直方向）の寸法は、板部２１の板厚よりも薄くなっている。
【００４４】
把持部３は、図２に示すように、支持部２における左右端に配置されたものであり、衣料用ハンガー１に掛けられる衣料品７を保持するものである。
把持部３には、開閉するとともに衣料品７を挟んで保持する挟持部３１と、挟持部３１を閉じた状態で保持する留め部３２と、が設けられている。
【００４５】
挟持部３１には、図２に示すように、支持部２に固定された板状の第１板部３１Ａと、支持部２に対して回動可能とされた板状の第２板部３１Ｂと、第１板部３１Ａとの間で留め部３２を移動可能に支える架橋部３１Ｃと、が設けられている。
【００４６】
第１板部３１Ａおよび第２板部３１Ｂは衣料品７を挟み保持するものであり、第１板部３１Ａが衣料用ハンガー１の背面側に配置され、第２板部３１Ｂが衣料用ハンガー１の正面側に配置されたものである。第１板部３１Ａと第２板部３１Ｂとは、上端（図２の上側の端部）において第２板部３１Ｂが回動可能に接続されている。
【００４７】
架橋部３１Ｃは、第１板部３１Ａにおける背面から突出するとともに、第１板部３１Ａとの間に留め部３２が挿通される空間を形成するものである。
留め部３２は、その一部が第１板部３１Ａと架橋部３１Ｃとの間に挿通され、上下方向（図２の上下方向）に移動可能とされている。
【００４８】
留め部３２は、第１板部３１Ａおよび第２板部３１Ｂが閉じた状態で保持するものである。留め部３２はＵ字状に形成された部材であって、吊下げ用フック６側から閉じた状態の第１板部３１Ａおよび第２板部３１Ｂを内側に配置するように嵌められるものである。
なお、本実施形態における留め部３２を形成する材料にはグラスファイバー等が含まれているため、留め部３２を樹脂として再生利用することができない。
【００４９】
なお把持部３としては、公知の構成を用いることができ、特に限定するものではない。
【００５０】
吊下げ用フック６は、図２に示すように、略円弧状に延びる部材であって、衣料品７が掛けられた衣料用ハンガー１、あるいは、衣料用ハンガー１そのものを掛ける際に用いられるものである。
【００５１】
次に、上記の構成からなる衣料用ハンガー１の再利用方法について説明する。
図９は、図６の表示部が支持部から取り除かれた状態を説明する模式図である。
衣料用ハンガー１を使用した後に再利用する場合には、図９に示すように、シール５１が貼り付けられた表示部５が支持部２から取り除かれる。
【００５２】
具体的には、図６に示すように、支持部２と一体とされていた表示部５を、板厚方向（図６の紙面に対して垂直方向）に押圧し、支持部２と表示部５との間に配置された接続部５３を破断させることにより、表示部５が支持部２から取り除かれる。
【００５３】
シール５１が貼り付けられた表示部５と留め部３２が取り除かれた衣料用ハンガー１は、再利用可能な樹脂のみから形成されたものになり、新たな樹脂形成品の材料として用いられる。
【００５４】
上記の構成によれば、接続部５３を破断させることにより、支持部２からシール５１が貼り付けられた表示部５を、シール５１とともに取り除くことができる。そのため、例えば、シール５１が再利用可能な材料以外の材料から形成されている場合であっても、容易にシール５１を支持部２から取り除き、新たな樹脂形成品の材料として用いることができる。
【００５５】
表示部５における表面５Ａおよび裏面５Ｂ、に加えて表示端面５Ｃにもシール５１を配置できる。そのため、衣料用ハンガー１をハンガーラックに掛けた状態であっても、表示端面５Ｃに配置されたシール５１を視認することができる。
【００５６】
その一方で、一枚のシール５１を表示部５における表面５Ａおよび裏面５Ｂ、および、表示端面５Ｃに巻き付けるように配置することで、一度に、これらの面にシール５１を配置させることができる。例えば、閉じた環状に形成されたスリット部により囲まれた表示部の場合には、二枚のシールを表面５Ａおよび裏面５Ｂに配置することになり、一度にシールを表面５Ａおよび裏面５Ｂに配置することができない。
【００５７】
〔第２の実施形態〕
この考案の第２の実施形態に係る衣料用ハンガーについて、図１０から図１６を参照して説明する。
図１０は、本実施形態に係る衣料用ハンガーの構成を説明する斜視図である。図１１は、図１０の衣料用ハンガーの構成を説明する正面図である。図１２は、図１０の衣料用ハンガーの構成を説明する側面視図である。図１３は、図１０の衣料用ハンガーの構成を説明する図１１におけるＣ−Ｃ断面視図である。図１４は、図１０の衣料用ハンガーに衣料品が掛けられた状態を説明する模式図である。
【００５８】
本実施形態の衣料用ハンガー（ハンガー）１０１は、図１４に示すように、衣料品７が掛けられるものであって、第１の実施形態と同様に、全体が再利用可能な材料である樹脂を用いて一体に形成されたものである。一体に形成する方法としては、射出成型などの公知の方法を用いることができ、特に限定するものではない。
【００５９】
衣料用ハンガー１０１には、図１１および図１２に示すように、支持部（ハンガー本体、ハンガー杵体）１０２と、上部係止部（ハンガー本体、ハンガー杵体）１０３と、下部係止部（ハンガー本体、ハンガー杵体）１０４と、表示部１０５と、吊下げ用フック６と、が主に設けられている。
【００６０】
支持部１０２は、図１１に示すように、衣料品７を保持する上部係止部１０３や下部係止部１０４と、吊下げ用フック６との間を繋ぐ部材であって、掛けられた衣料品７が一定の形状で保持されるようにするものである。
【００６１】
支持部１０２は、図１１に示すように左右方向（図１１の左右方向）に延びる梁状の部材であって、図１３に示すように断面がＩ字状に形成されている。具体的には、支持部１０２には、上下方向（図１３の上下方向）に板状に延びる板部１２１と、板部１２１の上端および下端から前後方向（図１３の左右方向）に延びるフランジ部１２２と、が設けられている。
【００６２】
支持部１０２には、図１１に示すように、その中央における上側のフランジ部１２２に吊下げ用フック６が設けられ、板部１２１に表示部１０５が設けられている。さらに、支持部１０２における左右の端部には、それぞれ、上部係止部１０３および下部係止部１０４が設けられている。
【００６３】
図１５は、図１０の表示部の構成を説明する部分拡大図である。
表示部１０５は、図１５に示すように、衣料用ハンガー１０１に掛けられる衣料品７のサイズを表示するシール（情報部）１５１が貼り付けられる部分である。表示部１０５は、正面から見て楕円状に形成された板状の部材であって、周囲に形成されたスリット部１５２により支持部１０２の板部１２１から分離されたものである。本実施形態では、表示部１０５の板厚が、支持部１０２の板部１２１における板厚と同じ例に適用して説明するが、これに限定されるものではない。
表示部１０５と支持部１０２との間には、支持部１０２の板部１２１に対して表示部１０５を支持する複数の接続部１５３が設けられている。
【００６４】
シール１５１は、図１５に示すように、衣料用ハンガー１０１に掛けられる衣料品７のサイズを示す「Ｓ」、「Ｍ」、「Ｌ」などの記号が記載されたシールであって、紙や粘着材などの衣料用ハンガー１０１を形成する樹脂とは異なる材料から形成されたものである。
なお、シール１５１には、上述のように衣料品７のサイズを示す記号が記載されていてもよいし、衣料品７のその他の特性を示す記号などが記載されていてもよく、特に限定するものではない。
【００６５】
スリット部１５２は、図１５に示すように、表示部１０５と板部１２１との間に、表示部１０５の外縁に沿って形成された空間であって、接続部１５３とともに表示部１０５を支持部１０２の板部１２１から取り外す構造を構成するものである。
【００６６】
接続部１５３は、図１５に示すように、スリット部１５２を横切り、表示部１０５から板部１２１に向かって延びる梁状の部材であって、スリット部１５２とともに表示部１０５を支持部１０２の板部１２１から取り外す構造を構成するものである。
【００６７】
複数の接続部１５３は、表示部１０５から板部１２１に向かって、隣接する接続部１５３が接近または離間するように配置されている。言い換えると、正面からみて、隣接する接続部１５３がハの字上に並んで配置されている。
一方、接続部１５３における板部１２１の板厚方向（図１５の紙面に対して垂直方向）の寸法は、板部１２１の板厚よりも薄くなっている。
【００６８】
さらに、スリット部１５２における表示部１０５の長軸と隣接する領域には、接続部１５３が配置されていない空間部１５４が設けられている。言い換えると、スリット部１５２におけるその他の領域と比較して、空間部１５４では、隣接する接続部１５３の間隔が広くされ、接続部１５３が配置されていない状態となっている。
【００６９】
上部係止部１０３は、図１１に示すように、支持部１０２における左右端であって、上方に配置されたものであり、衣料用ハンガー１０１に掛けられる衣料品７を保持するものである。
上部係止部１０３には、支持部１０２から左右方向の外側に向かって延びる第１上杵体１３１と、第１上杵体１３１の先端から折り返されて支持部１０２の中央側に向かって延びる第２上杵体１３２と、が設けられている。
【００７０】
支持部１０２と第１上杵体１３１との間には、左右方向の外側に向かって開口し、衣料品７の肩紐などを挟む第１上挟持部１３３が形成されている。さらに、第１上杵体１３１と第２上杵体１３２との間にも、左右方向の中央側に開口し、衣料品７の肩紐などを挟む第２上挟持部１３４が形成されている。
【００７１】
下部係止部１０４は、図１１に示すように、支持部１０２における左右端であって、下方に配置されたものであり、衣料用ハンガー１０１に掛けられる衣料品７を保持するものである。
下部係止部１０４には、支持部１０２から下方に向かって延びる下杵体１４１と、第１突起部１４２および複数の第２突起部１４３と、が設けられている。
【００７２】
下杵体１４１は、支持部１０２における左右方向端部から下方（図１１の下方向）に向かって延びる部材であり、下杵体１４１の端部が第１突起部１４２に対して接近離間する方向に弾性を有するように形成されたものである。
【００７３】
さらに、下杵体１４１と第１突起部１４２との間には、下方向に向かって開口し、衣料品７を挟む下挟持部１４４が形成されている。
【００７４】
第１突起部１４２は、支持部１０２における下杵体１４１の内側から下方に向かって延びるとともに、支持部１０２から離れるに伴い、支持部１０２における左右方向の外側に向かって傾斜する部材である。
【００７５】
第２突起部１４３は、支持部１０２における第１突起部１４２の内側から下方に向かって延びるとともに、支持部１０２から離れるに伴い、支持部１０２の中央側に向かって傾斜する部材である。さらに、複数の第２突起部１４３は、支持部１０２の左右方向に並んで配置されている。
本実施形態では、片側に３つの第２突起部１４３が等間隔に並んで配置されている例に適用して説明する。
【００７６】
下部係止部１０４にパンツなどの衣料品７を掛ける場合には、図１４に示すように、パンツのウエスト部分が下部係止部１０４に掛けられる。
例えば、パンツのウエスト部分における右腰部および右腰部が下挟持部１４４に挟まれるとともに、下挟持部１４４に挟まれて袋状になったウエスト部分に、第２突起部１４３のいずれかが差し込まれる。これにより、パンツが下部係止部１０４に掛けられることになる。
この場合、衣料品７であるパンツのサイズに応じて、上述の袋状になったウエスト部分に差し込まれる第２突起部１４３が選択される。
【００７７】
吊下げ用フック６は、図１１に示すように、略円弧状に延びる部材であって、衣料品７が掛けられた衣料用ハンガー１０１、あるいは、衣料用ハンガー１０１そのものを掛ける際に用いられるものである。
【００７８】
次に、上記の構成からなる衣料用ハンガー１０１の再利用方法について説明する。
図１６は、図１５の表示部が支持部から取り除かれた状態を説明する模式図である。
衣料用ハンガー１０１を使用した後に再利用する場合には、図１６に示すように、シール１５１が貼り付けられた表示部１０５が支持部１０２から取り除かれる。
【００７９】
具体的には、図１５に示すように、支持部１０２と一体とされていた表示部１０５を、板厚方向（図１５の紙面に対して垂直方向）に押圧し、支持部１０２と表示部１０５との間に配置された接続部１５３を破断させることにより、表示部１０５が支持部１０２から取り除かれる。
【００８０】
さらには、表示部１０５における空間部１５４の近傍領域を押圧して、表示部１０５を支持部１０２から取り除くことが好ましい。
このように、表示部１０５における空間部１５４の近傍領域を押圧すると、空間部１５４に隣接した接続部１５３に力（せん断力）が集中して働く。そのため、空間部１５４に隣接した接続部１５３が破断しやすくなるとともに、空間部１５４に近い接続部１５３から順に破断させることができ、支持部１０２から表示部１０５を容易に取り除くことができる。
【００８１】
シール１５１が貼り付けられた表示部１０５が取り除かれた衣料用ハンガー１０１は、再利用可能な樹脂のみから形成されたものになり、新たな樹脂形成品の材料として用いられる。
【００８２】
上記の構成によれば、板状に形成された支持部１０２の内部に表示部１０５を配置して、表示部１０５の周囲に支持部１０２を配置することで、表示部１０５に外力が働きにくくなる。そのため、衣料用ハンガー１０１の使用時など、表示部１０５を取り除く意図がない場合に、支持部１０２から表示部１０５が取り除かれることを防止することができる。
【００８３】
スリット部１５２における表示部１０５の長軸と隣接する領域に、接続部１５３が配置されない空間部１５４を設けることにより、支持部１０２から表示部１０５を容易に取り除くことができる。つまり、表示部１０５における空間部１５４と隣接する部分を、表示部１０５における板厚方向に押圧することにより、空間部１５４と隣接する接続部１５３に力が集中する。そのため、空間部１５４に近い接続部１５３から順に破断されることとなり、支持部１０２から表示部１０５を容易に取り除くことができる。
【００８４】
隣接する接続部１５３を、表示部１０５から支持部１０２に向かって互いに接近または離間するように配置しているため、例えば、接続部１５３を表示部１０５の中心から放射状に配置する場合と比較して、表示部１０５の周方向に働く力に対する強度が高くなる。そのため、衣料用ハンガー１０１の使用時など、表示部１０５を取り除く意図がない場合に、支持部１０２から表示部１０５が取り除かれることを防止することができる。
【００８５】
〔第３の実施形態〕
この考案の第３の実施形態に係る衣料用ハンガーについて、図１７から図２１を参照して説明する。
図１７は、本実施形態に係る衣料用ハンガーの構成を説明する斜視図である。図１８は、図１７の衣料用ハンガーの構成を説明する正面図である。図１９は、図１７の衣料用ハンガーの構成を説明する背面視図である。
なお、第１の実施形態と同一の構成要素については同一の符号を付して、その説明を省略する。
【００８６】
本実施形態の衣料用ハンガー（ハンガー）２０１は、上着などの衣料品が掛けられるものであって、第１の実施形態と同様に、全体が再利用可能な材料である樹脂を用いて一体に形成されたものである。一体に形成する方法としては、射出成型などの公知の方法を用いることができ、特に限定するものではない。
【００８７】
衣料用ハンガー２０１には、図１７から図１９に示すように、支持部（ハンガー本体、ハンガー杵体）２０２と、表示部２０５と、吊下げ用フック（ハンガー本体、フック部）２０６と、が主に設けられている。
【００８８】
支持部２０２は、掛けられた衣料品を一定の形状で保持するものである。
支持部２０２は、図１８および図１９に示すように左右方向（図１８および図１９の左右方向）に延びるとともに、下方（図１８および図１９の下方向）に傾斜した梁状の部材である。さらに、支持部２０２は断面が上下方向に延びる板部と、当該板部の上下の端部から水平方向に延びる端板と、からなるコの字状に形成されている。
【００８９】
さらに、支持部２０２における上側の略中央には吊下げ用フック２０６が設けられ、吊下げ用フック２０６を中心とした両側には、切れ込み部２２１が設けられている。
切れ込み部２２１は、衣料品の滑り落ちを防止するとともに、ランニングやキャミソールなどの肩部分を保持するものである。
切れ込み部２２１は、支持部２０２に形成された左右方向に延びるとともに、下方に傾斜したスリット状の孔であって、吊下げ用フック２０６側の端部近傍において上方に向って開く開口が設けられている。
【００９０】
吊下げ用フック２０６は、図１７から図１９に示すように、略円弧状に延びる部材であって、衣料品が掛けられた衣料用ハンガー２０１、あるいは、衣料用ハンガー２０１そのものを掛ける際に用いられるものである。
吊下げ用フック２０６上側端部の近傍には、吊下げ用フック２０６の径方向外側に向かって、本実施形態では水平方向（図１８および図１９の左右方向）に突出して延びる板状の表示部２０５が設けられている。
【００９１】
図２０は、図１７の表示部の構成を説明する部分拡大図である。
表示部２０５は、図１７に示すように、衣料用ハンガー２０１に掛けられる衣料品のサイズを表示するシール５１が貼り付けられる部分である。表示部２０５は、図１７に示すように、吊下げ用フック２０６との間に形成されたスリット部２５２により吊下げ用フック２０６から分離されたものである。
【００９２】
表示部２０５には、図１８から図２０に示すように、シール５１が貼り付けられる表面２０５Ａおよび裏面２０５Ｂが設けられている。
表面２０５Ａおよび裏面２０５Ｂは、板状に形成された表示部２０５における衣料用ハンガー１の正面側、および、裏側に形成された溝部の底面である。さらに、表面２０５Ａおよび裏面２０５Ｂを形成する溝部は水平方向に延び、表示部２０５の端部において外部と連通されている。
このようにすることで、１枚のシール５１を表示部２０５に巻き付けるように貼り付けることで、一度にシール５１を表面２０５Ａおよび裏面２０５Ｂに貼り付けることができる。
【００９３】
スリット部２５２は、図２０に示すように、表示部２０５と吊下げ用フック２０６との間に形成された空間であって、接続部２５３とともに表示部２０５を吊下げ用フック２０６から取り外す構造を構成するものである。
本実施形態では、スリット部２５２が水平方向（図２０の左右方向）に対して斜めに延びる例に適用して説明する。
【００９４】
接続部２５３は、図２０に示すように、スリット部２５２を横切り、表示部２０５から吊下げ用フック２０６に向かって延びる梁状の部材であって、スリット部２５２とともに表示部２０５を吊下げ用フック２０６から取り外す構造を構成するものである。
複数の接続部２５３は、スリット部２５２が延びる方向に沿って、所定の間隔をあけて配置されている。
【００９５】
次に、上記の構成からなる衣料用ハンガー２０１の再利用方法について説明する。
図２１は、図２０の表示部が吊下げ用フックから取り除かれた状態を説明する模式図である。
衣料用ハンガー２０１を使用した後に再利用する場合には、図２１に示すように、シール５１が貼り付けられた表示部２０５が吊下げ用フック２０６から取り除かれる。
【００９６】
具体的には、図２１に示すように、吊下げ用フック２０６と一体とされていた表示部２０５を、板厚方向（図２１の紙面に対して垂直方向）に押圧し、吊下げ用フック２０６と表示部２０５との間に配置された接続部２５３を破断させることにより、表示部２０５が吊下げ用フック２０６から取り除かれる。
【００９７】
シール５１が貼り付けられた表示部２０５が取り除かれた衣料用ハンガー２０１は、再利用可能な樹脂のみから形成されたものになり、新たな樹脂形成品の材料として用いられる。
【００９８】
上記の構成によれば、接続部２５３を破断させることにより、吊下げ用フック２０６からシール５１が貼り付けられた表示部２０５を、シール５１とともに取り除くことができる。そのため、シール５１が再利用可能な材料以外の材料から形成されている場合であっても、容易にシール５１を吊下げ用フック２０６から取り除き、吊下げ用フック２０６および支持部２０２からなる衣料用ハンガー２０１を新たな樹脂形成品の材料として用いることができる。
【００９９】
〔第３の実施形態の変形例〕
この考案の第３の実施形態の変形例に係る衣料用ハンガーについて、図２２から図２４を参照して説明する。
図２２は、本変形例に係る衣料用ハンガーの構成を説明する斜視図である。図２３は、図２２の衣料用ハンガーの構成を説明する正面図である。図２４は、図２２の衣料用ハンガーの構成を説明する背面視図である。
なお、第３の実施形態と同一の構成要素については同一の符号を付して、その説明を省略する。
【０１００】
本変形例の衣料用ハンガー（ハンガー）３０１は、ズボンなどの衣料品を保持するものであって、第３の実施形態と同様に、全体が再利用可能な材料である樹脂を用いて一体に形成されたものである。一体に形成する方法としては、射出成型などの公知の方法を用いることができ、特に限定するものではない。
【０１０１】
衣料用ハンガー３０１には、図２２から図２４に示すように、支持部（ハンガー本体、ハンガー杵体）３０２と、表示部２０５と、吊下げ用フック２０６と、が主に設けられている。
【０１０２】
支持部３０２は、衣料品を一定の形状で保持するものである。支持部３０２には、中央部材３２１と、端部材３２２と、が設けられている。
【０１０３】
中央部材３２１は、端部材３２２とともに支持部３０２を構成するものであって、正面視または背面視において略台形状に形成された部材である。さらに、中央部材３２１における上側の辺には吊下げ用フック２０６が設けられている。その一方で、中央部材３２１の左右には、端部材３２２が設けられている。
【０１０４】
端部材３２２は、中央部材３２１とともに支持部３０２を構成するものである。さらに端部材３２２は、正面視または背面視において環状に形成されるとともに、中央部材３２１から離れるに伴い上方へ延びる形状とされている。
端部材３２２における中央部材３２１から最も離れた部分には、衣料品を保持する保持部３２３が設けられている。端部材３２２は弾性を有する材料から形成され、一対の保持部３２３が接近離間可能とされている。
【０１０５】
保持部３２３には、上方に向って互いに接近する傾斜面３２４が設けられ、傾斜面３２４に衣料品の滑り落ちを防止する複数の凸部３２５が、上下方向に並んで設けられている。さらに、保持部３２３の上端には、円弧状に形成されたストッパ部３２６が設けられている。
【０１０６】
吊下げ用フック２０６と中央部材３２１との間には、略直線状に延びる接続部２６１が設けられている。
【０１０７】
ズボンなどの衣料品を保持する場合には、上述の衣料用ハンガー３０１における支持部３０２を衣料品のウエスト部分に挿入される。
具体的には、一対の保持部３２３の間隔を縮めた状態で衣料品のウエスト部分に挿入し、端部材３２２の弾性力により一対の保持部３２３における傾斜面３２４がウエスト部分に押し付けられる。傾斜面３２４には滑り止めの複数の凸部３２５が設けられているため、衣料品は衣料用ハンガー３０１から滑り落ちることなく保持される。
【符号の説明】
【０１０８】
１，１０１，２０１，３０１  衣料用ハンガー（ハンガー）
２，１０２，２０２，３０２  支持部（ハンガー本体、ハンガー杵体）
３，１０３  上部係止部（ハンガー本体、ハンガー杵体）
５，１０５，２０５  表示部
５Ａ  表面（一方の面）
５Ｂ  裏面（他方の面）
５Ｃ  表示端面
６，２０６  吊下げ用フック（ハンガー本体、フック部）
７  衣料品（被支持体）
５１，１５１  シール（情報部）
５２，１５２，２５２  スリット部
５２Ａ  一対の開口端
５３，１５３，２５３  接続部
１０４  下部係止部（ハンガー本体、ハンガー杵体）
１５４  空間部
【図１】
0003154549.tif 000003
【図２】
0003154549.tif 000004
【図３】
0003154549.tif 000005
【図４】
0003154549.tif 000006
【図５】
0003154549.tif 000007
【図６】
0003154549.tif 000008
【図７】
0003154549.tif 000009
【図８】
0003154549.tif 000010
【図９】
0003154549.tif 000011
【図１０】
0003154549.tif 000012
【図１１】
0003154549.tif 000013
【図１２】
0003154549.tif 000014
【図１３】
0003154549.tif 000015
【図１４】
0003154549.tif 000016
【図１５】
0003154549.tif 000017
【図１６】
0003154549.tif 000018
【図１７】
0003154549.tif 000019
【図１８】
0003154549.tif 000020
【図１９】
0003154549.tif 000021
【図２０】
0003154549.tif 000022
【図２１】
0003154549.tif 000023
【図２２】
0003154549.tif 000024
【図２３】
0003154549.tif 000025
【図２４】
0003154549.tif 000026